(57)【要約】【課題】上昇気流による扉周縁への冷気の侵入を防ぎ、対流を抑制することで、扉周縁からの熱侵入を低減し、庫内の温度上昇を抑制することで、冷蔵庫の省エネ性能を向上する。【解決手段】貯蔵室１１０と、貯蔵室１１０の前面の開口部１１３を閉塞する断熱扉１２０とを備える冷蔵庫１００において、断熱扉１２０は、貯蔵室１１０側の面の縁部から突き出した突出部３であって、閉塞状態において貯蔵室１１０に挿入される長手方向に延びた突出部３と、突出部３に取り付けられた遮断パッキン４ｂであって、閉塞状態において貯蔵室１１０の内壁１１１と突出部３との間のスロート１０の長手方向を塞ぐ遮断パッキン４ｂとを備える。【選択図】図１
2015175544.tif 000002
【特許請求の範囲】
【請求項１】
貯蔵室と、前記貯蔵室の前面の開口部を閉塞する扉とを備える冷蔵庫において、
前記扉は、
前記貯蔵室側の面の縁部から突き出した突出部であって、閉塞状態において前記貯蔵室に挿入される長手方向に延びた突出部と、
前記突出部に取り付けられたパッキンであって、閉塞状態において前記貯蔵室の内壁と前記突出部との間の隙間の長手方向を塞ぐパッキンと
を備えたことを特徴とする冷蔵庫。
【請求項２】
前記パッキンは、前記突出部から前記貯蔵室の内壁に向かって形成されたヒレ状であることを特徴とする請求項１に記載の冷蔵庫。
【請求項３】
前記パッキンは、前記長手方向に対して垂直に形成されたことを特徴とする請求項２に記載の冷蔵庫。
【請求項４】
前記パッキンは、前記隙間の長手方向の複数の位置を塞ぐことを特徴とする請求項１〜３のいずれかに記載の冷蔵庫。
【請求項５】
前記貯蔵室は、前記内壁から突き出した内壁凸部であって、閉塞状態において前記隙間を塞ぐ内壁凸部を備えることを特徴とする請求項１〜４のいずれかに記載の冷蔵庫。
【発明の詳細な説明】
【技術分野】
【０００１】
本発明は、冷蔵庫に関するものであり、特に、冷蔵庫の扉に関する。
【背景技術】
【０００２】
市場では冷蔵庫の省エネ性能向上が求められている。冷蔵庫の省エネ性能は、箱体断熱性能の影響が大きい。近年、断熱材の性能向上により箱体断熱壁からの熱侵入は減少してきており、更なる省エネ性能向上のためには、断熱壁境界である扉周縁からの熱侵入低減が課題となっている。
【０００３】
図６は、従来の冷蔵庫の扉を示す部分斜視図である。図６に示すように、冷蔵庫の扉は、扉内板１、扉外板２、扉内板１により形成された突出部３を備える。扉周縁には、冷蔵庫の貯蔵室である箱体の内箱と突出部３とにより隙間（スロート）が形成される。
扉周縁にヒレ状のパッキン４ｃを備え、扉周縁への冷気の侵入を防ぐ構成となっている。
【先行技術文献】
【特許文献】
【０００４】
【特許文献１】特開２０１１−０８０７３２号公報
【発明の概要】
【発明が解決しようとする課題】
【０００５】
しかしながら、図６に示すようなパッキン形状では、両側面における扉周縁において、鉛直方向つまり扉の突出部３の長手方向にパッキンのヒレが位置しているため、冷蔵庫背面から扉へ向かう方向Ｃからの冷気侵入を防ぐ効果はあるものの、突出部３の長手方向の方向Ｂからの冷気侵入防止に対しては効果的ではなかった。
【０００６】
両側面における扉周縁では、凝縮パイプの熱により浮力が発生し、上昇気流が生じる場合がある。また、箱体開口部において２つの扉を有し両開き可能な冷蔵庫の扉周縁においても、両扉間の隙間に位置する仕切体に設置された結露防止用ヒータの熱により浮力が発生し、上昇気流が生じる場合がある。このような場合においては、従来のパッキン形状ではヒレに対して平行方向に対流が生じるため、対流の抑制に対して効果的ではなかった。
【０００７】
本発明は、上述のような課題を解決するためになされたものであり、断熱壁境界である扉の周縁への冷気侵入を防ぎ、対流を抑制することで、熱漏洩量を低減でき、消費電力量を低減することが可能な冷蔵庫を提供することを目的とする。
【課題を解決するための手段】
【０００８】
本発明に係る冷蔵庫は、貯蔵室と、前記貯蔵室の前面の開口部を閉塞する扉とを備える冷蔵庫において、
前記扉は、
前記貯蔵室側の面の縁部から突き出した突出部であって、閉塞状態において前記貯蔵室に挿入される長手方向に延びた突出部と、
前記突出部に取り付けられたパッキンであって、閉塞状態において前記貯蔵室の内壁と前記突出部との間の隙間の長手方向を塞ぐパッキンと
を備えたことを特徴とする。
【発明の効果】
【０００９】
本発明に係る冷蔵庫によれば、扉の貯蔵室側の面の縁部から突き出した突出部であって、閉塞状態において前記貯蔵室に挿入される長手方向に延びた突出部と、突出部に取り付けられたパッキンであって、閉塞状態において前記貯蔵室の内壁と前記突出部との間の隙間の長手方向を塞ぐパッキンとを備えるので、上昇気流による扉周縁への冷気の侵入を防ぎ、対流を抑制することで、扉周縁からの熱侵入を低減し、庫内の温度上昇を抑制することができる。これにより、ヒートポンプの負荷が軽減され投入電力量が減少するため、冷蔵庫の省エネ性能が向上する。
【図面の簡単な説明】
【００１０】
【図１】実施の形態１に係る冷蔵庫１００における断熱扉１２０の開状態を示す部分斜視図である。
【図２】実施の形態１に係る冷蔵庫１００における閉状態での部分断面図である。
【図３】実施の形態２に係る断熱扉１２０の部分斜視図である。
【図４】実施の形態３に係る断熱扉１２０の部分斜視図である。
【図５】実施の形態４に係る冷蔵庫１００における閉状態での部分断面図である。
【図６】比較のための冷蔵庫の断熱扉の部分斜視図である。
【発明を実施するための形態】
【００１１】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１２】
実施の形態１．
図１は、本実施の形態に係る冷蔵庫１００における断熱扉１２０の開状態を示す部分斜視図である。
冷蔵庫１００は、断熱箱体１３０と、断熱箱体１３０を開閉する断熱扉１２０とを備える。
【００１３】
断熱箱体１３０は、外箱１３１と、内箱１３２と、外箱１３１と内箱１３２の間に封入された断熱材料により構成される。
冷蔵庫１００は、断熱箱体１３０の内部を複数の貯蔵室１１０に仕切る内壁１１１を備える。
貯蔵室１１０は、断熱箱体１３０、あるいは、断熱箱体１３０と内壁１１１とにより形成され、例えば、後部から前部の方向に吹き出される冷気により冷却される。
貯蔵室１１０は、前面に開口部１１３を備え、断熱扉１２０により開閉される。
【００１４】
断熱扉１２０は、少なくとも庫内側の面を構成する扉内板１、庫外側の面を構成する扉外板２を備える。また、断熱扉１２０は、扉内板１と扉外板２との間に断熱材が封入されて構成されている。断熱扉１２０は、断熱箱体１３０の開口部１１３を覆うように構成される。
【００１５】
なお、本実施の形態では、冷蔵庫１００の上部の貯蔵室１１０と、その断熱扉１２０を示している。しかし、これに限られず、下部の貯蔵室の断熱扉、上部と下部との間に形成された貯蔵室の断熱扉であっても、本実施の形態は適用することができる。また、本実施の形態では、片側に開閉する扉方式を示しているが、引き出し方式の断熱扉、両開き方式の断熱扉等、冷蔵庫の断熱扉であれば、どのような形式の扉でも構わない。
【００１６】
断熱扉１２０は、扉内板１により形成された突出部３を備える。
突出部３は、断熱扉１２０の扉内板１（貯蔵室側の面）の縁部から突き出し、断熱扉１２０の閉塞状態において貯蔵室１１０に挿入される。突出部３は、例えば、貯蔵室１１０の内壁に沿って四角形状に突き出している。つまり、突出部３は、外周面が貯蔵室１１０の内壁に対向するように四角形状に突き出している。
【００１７】
貯蔵室１１０の内壁１１１とは、例えば、断熱箱体１３０の内箱１３２と仕切部１４０とのことである。例えば、図１に示す貯蔵室１１０の内壁１１１は、上面と側面とが断熱箱体１３０の内箱１３２であり、下面は仕切部１４０である。冷蔵庫１００の中央部の貯蔵室であれば、例えば、その内壁は上面と下面が仕切部１４０であり、側面が断熱箱体１３０の内箱１３２となる。
【００１８】
また、両開き方式の断熱扉の場合、貯蔵室１１０の内壁１１１は以下のように構成される。
両開き方式の断熱扉１２０の場合、例えば、断熱扉１２０は第１断熱扉と第２断熱扉とから構成される。第１断熱扉と第２断熱扉とのそれぞれは、本実施の形態１で説明する構成と同様である。貯蔵室１１０の開口部１１３は、第１断熱扉と第２断熱扉とにより覆われ、第１断熱扉は自由端に設置され、閉扉時に第１断熱扉と第２断熱扉との隙間を塞ぐように位置する左右仕切体を備える。
このとき、貯蔵室１１０の内壁１１１は、例えば、断熱箱体１３０の内箱１３２と仕切部１４０と、左右仕切体とから構成される。例えば、図１に示す貯蔵室１１０が左右２つに仕切られている場合、左側の貯蔵室の内壁は、上面と左側面とが断熱箱体１３０の内箱１３２であり、下面は仕切部１４０であり、右側面は左右仕切体となる。同様に、右側の貯蔵室の内壁は、上面と右側面とが断熱箱体１３０の内箱１３２であり、下面は仕切部１４０であり、右側面は左右仕切体となる。
【００１９】
なお、突出部３は、中空の四角形状に連続して形成されていなくてもよい。例えば、外周面が、貯蔵室１１０の内壁１１１の少なくとも一部と対向するように形成されていればよい。
【００２０】
本実施の形態では、一例として、断熱扉１２０の側部の縁部に上下方向（長手方向の一例）に延びて形成されている突出部３について説明する。
【００２１】
図２は、本実施の形態に係る冷蔵庫１００における閉状態での部分断面図である。図２は、冷蔵庫１００の断熱扉１２０が閉状態において、図１のＤ−Ｄ断面部分を示している。
図２に示すように、断熱箱体１３０の内部の開閉部分近傍には、凝縮パイプ８を備える。
また、閉状態では、突出部３の外周面３ａと内箱１３２との間に隙間（以下、スロート１０とする）が生じる。前後遮断パッキン４ａは、貯蔵室１１０の後部から前部のＣ方向の冷気がスロート１０に侵入することを防止する。
【００２２】
本実施の形態に係る冷蔵庫は、スロート１０の上下方向を塞ぐ遮断パッキン４ｂを備える。遮断パッキン４ｂは、閉塞状態において貯蔵室１１０の内壁と突出部３との間のスロート１０（隙間）の上下方向（長手方向）を塞ぐヒレ状のパッキンの一例である。
遮断パッキン４ｂは、内箱１３２と突出部３の間に、突出部３の上下方向（長手方向）に対して略垂直にヒレが位置するパッキンである。
【００２３】
図１に示すように、遮断パッキン４ｂは、上下方向に延びた突出部３の上端部と下端部との２箇所に設けられる。
【００２４】
なお、遮断パッキン４ｂは、上下方向（長手方向）に対して略垂直でなくても構わない。
突出部３の外周面３ａから上方に向かって斜めに形成されていてもよい。あるいは、下方に向かって斜めに形成されていてもよい。
また、上下方向（長手方向）を塞ぐ位置も、スロート１０の上端部と下端部でなくてもよい。スロート１０の上端部と下端部との間のいずれかの位置にひとつでもよいし、上端部と下端部との間の位置に２つ以上でもよい。
【００２５】
以上のように、本実施の形態に係る冷蔵庫１００によれば、凝縮パイプ８の熱により浮力が発生し、スロート１０に上昇気流が生じた場合でも、スロート１０に冷気が侵入することを防ぐことができる。
【００２６】
実施の形態２．
本実施の形態では、主に、実施の形態１との差異について説明する。
実施の形態１では、上下方向を長手方向とし、上下方向に延びた突出部３について説明した。本実施の形態では、水平方向を長手方向として、水平方向に延びた突出部３について説明する。
実施の形態１で説明した構成部と同様の構成部には、同一の符号を付し、その説明を省略する場合がある。
【００２７】
図３は、本実施の形態に係る断熱扉１２０の部分斜視図である。
図３に示すように、スロート１０ａは、水平方向（長手方向の一例）に延びて形成された突出部３と断熱箱体１３０あるいは仕切部１４０との間に形成される隙間である。
遮断パッキン４ｂは、実施の形態１と同様に、スロート１０ａの長手方向（ここでは、水平方向）を塞ぐ。
【００２８】
以上のように、本実施の形態に係る冷蔵庫１００は、突出部３と、内箱１３２もしくは仕切部１４０により、扉周縁の水平方向にスロート１０ａを形成しており、スロート１０ａが延びている方向を塞ぐヒレ状の遮断パッキン４ｂを備える。この遮断パッキン４ｂにより、スロート１０ａに方向Ｄからの冷気の侵入を防ぐことができ、スロート１０ａにおける水平方向（長手方向）の対流を抑制することができる。
【００２９】
実施の形態３．
本実施の形態では、主に、実施の形態１，２との差異について説明する。
実施の形態１，２で説明した構成部と同様の構成部には、同一の符号を付し、その説明を省略する場合がある。
【００３０】
本実施の形態に係る冷蔵庫１００では、スロート１０の長手方向（上下方向）（図１参照）を塞ぐ遮断パッキン４ｂを複数備える。また、本実施の形態に係る冷蔵庫１００では、スロート１０ａの長手方向（水平方向）（図３参照）を塞ぐ遮断パッキン４ｂを複数備える。
【００３１】
図４は、本実施の形態に係る断熱扉１２０の部分斜視図である。
図４では、一例として、上下方向を長手方向としたスロート１０について、長手方向（上下方向）を塞ぐ複数の遮断パッキン４ｂを示している。遮断パッキン４ｂは、方向Ｂに対して略垂直に位置する複数のヒレ状のパッキンである。
水平方向を長手方向としたスロート１０ａについても、同様に、長手方向（水平方向）を塞ぐ複数の遮断パッキン４ｂを備えていてもよい。
【００３２】
本実施の形態に係る冷蔵庫１００によれば、スロート１０の長手方向に流れる冷気の対流を抑制することができ、扉周縁からの熱の侵入を防ぐことができる。
【００３３】
実施の形態４．
本実施の形態では、主に、実施の形態１との差異について説明する。
実施の形態１で説明した構成部と同様の構成部には、同一の符号を付し、その説明を省略する場合がある。
【００３４】
図５は、本実施の形態に係る冷蔵庫１００における閉状態での部分断面図である。図５は、実施の形態１で説明した図２に相当する図である。
図５において、図１と異なる点は、前後遮断パッキン４ａを備えていない点である。また、内箱１３２の開口部１１３周縁から、貯蔵室１１０の内部に突き出して形成された内箱凸部１３２ａを備える点である。
【００３５】
内箱凸部１３２ａは、突出部３の高さ方向後方に、内箱１３２によって形成された凸部である。この内箱凸部１３２ａは、内箱１３２と突出部３との隙間であるスロート１０を覆うように構成される。つまり、内箱凸部１３２ａは、スロート１０を塞ぐように設けられる。
図５に示すように、スロート１０は、内箱１３２と内箱凸部１３２ａと突出部３の外周面３ａとガスケット６とで構成された袋状の空間である。スロート１０は、扉周縁に形成される。
【００３６】
内箱凸部１３２ａにより、前後遮断パッキン４ａがない場合でも、スロート１０に対して冷気が侵入することを防ぐことができる。
なお、前後遮断パッキン４ａを設け、さらに、内箱凸部１３２ａを設けてもよい。このように、前後遮断パッキン４ａと内箱凸部１３２ａとを２重に設けることにより、例えば、突出部３が存在しない扉周縁部分であっても、スロート１０に対する冷気の侵入を防ぐことができる。
【００３７】
上記の実施の形態１〜４に係る冷蔵庫は、扉周縁において、扉周縁の突出部の長手方向を塞ぐようにヒレが位置するパッキンを設置するものである。例えば、扉周縁の突出部の長手方向に対して垂直に、少なくともひとつのヒレが位置するパッキンを設置する。
したがって、扉周縁への冷気の侵入を防ぎ、対流を抑制することで、扉周縁からの熱侵入を低減し、庫内の温度上昇を抑制することができる。これにより、ヒートポンプの負荷が軽減され投入電力量が減少するため、冷蔵庫の省エネ性能が向上する。
【００３８】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。
なお、以上の実施の形態は、本質的に好ましい例示であって、本発明、その適用物や用途の範囲を制限することを意図するものではなく、必要に応じて種々の変更が可能である。本発明は、これらの実施の形態に限定されるものではなく、必要に応じて種々の変更が可能である。
【符号の説明】
【００３９】
１  扉内板、２  扉外板、３  突出部、３ａ  外周面、４ａ  前後遮断パッキン、４ｂ  遮断パッキン、４ｃ  パッキン、５  断熱材、６  ガスケット、８  凝縮パイプ、１０，１０ａ  スロート、１００  冷蔵庫、１１０  貯蔵室、１１１  内壁、１１３  開口部、１２０  断熱扉、１３０  断熱箱体、１３１  外箱、１３２  内箱、１３２ａ  内箱凸部、１４０  仕切部。
【図１】
2015175544.tif 000003
【図２】
2015175544.tif 000004
【図３】
2015175544.tif 000005
【図４】
2015175544.tif 000006
【図５】
2015175544.tif 000007
【図６】
2015175544.tif 000008